【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
電子の照射によりＸ線を発生するターゲットと、
電子を放出する電子放出部と、前記ターゲットに向けて照射される電子ビームを形成するグリッド電極と、前記電子放出部または他の電極に対して前記グリッド電極を電気的に絶縁し前記グリッド電極を支持する絶縁支持部材と、を有する電子銃と、を有するＸ線発生管であって、
前記電子銃は、前記電子放出部から放出され前記グリッド電極を通過する前記電子からみて前記絶縁支持部材が直視されないように遮る導電部を有していることを特徴とするＸ線発生管。
【請求項２】
前記導電部は、電圧源により電位規定されることを特徴とする請求項１に記載のＸ線発生管。
【請求項３】
前記グリッド電極は、前記電圧源に電気的に接続され、
前記導電部は、前記グリッド電極の部分であることを特徴とする請求項２に記載のＸ線発生管。
【請求項４】
前記グリッド電極は、前記電子通過路を規定する電子通過孔が設けられ、管径方向に延在する環状部と、前記環状部に連なり前記電子通過路に沿って延在する管状部と、を有し、
前記導電部は、前記管状部の少なくとも一部であることを特徴とする請求項１に記載のＸ線発生管。
【請求項５】
前記グリッド電極は、前記環状部が前記電子放出部と対向するように配置され、前記管状部が管軸方向において前記電子放出部に重なるように配置された引き出しグリッド電極を含むことを特徴とする請求項４に記載のＸ線発生管。
【請求項６】
前記電子銃は、環状部と管状部とを有する他のグリッド電極を有し、
前記他のグリッド電極と前記グリッド電極は、互いの前記環状部が管軸方向に対向し、互いの前記管状部が管径方向に対向する部分を有することを特徴とする請求項４または５に記載のＸ線発生管。
【請求項７】
前記他のグリッド電極と前記グリッド電極において、前記環状部が前記電子放出部に近い側に位置する前記グリッド電極の前記管状部は、前記環状部が前記電子放出部から遠い側に位置する前記グリッド電極の前記管状部より、管径方向において、外側に位置していることを特徴とする請求項６に記載のＸ線発生管。
【請求項８】
前記グリッド電極は、前記ターゲットに対向する環状部を有し、前記ターゲット上に形成する焦点の大きさを規定する集束グリッド電極を含み、
前記電子通過路は、前記電子放出部から放出された前記電子が前記集束グリッド電極を通過するまでの通過経路に対応することを特徴とする請求項１乃至７のいずれか１項に記載のＸ線発生管。
【請求項９】
前記電子銃は、管径方向における外側から見て前記絶縁支持部材が直視されない様に、前記絶縁支持部材の管径方向における外側に外周管状部を有し、前記導電部は前記外周管状部の部分であることを特徴とする請求項１乃至８のいずれか１項に記載のＸ線発生管。
【請求項１０】
前記外周管状部は、前記グリッド電極の部分であることを特徴とする請求項９に記載のＸ線発生管。
【請求項１１】
前記Ｘ線発生管は、
前記ターゲットに接続され、前記ターゲットとともに陽極に含まれる陽極部材と、
前記電子銃に接続され、前記電子放出源とともに陰極に含まれる陰極部材と、
管軸方向おける一端と他端とが、それぞれ、前記陽極部材と前記陰極部材とに接続される絶縁管と、を有することを特徴とする請求項１乃至１０のいずれか１項に記載のＸ線発生管。
【請求項１２】
前記Ｘ線発生管は、
前記ターゲットに接続され、前記ターゲットとともに陽極に含まれる陽極部材と、
前記電子銃に接続され、前記電子放出源とともに陰極に含まれる陰極部材と、
管軸方向おける一端と他端とが、それぞれ、前記陽極部材と前記陰極部材とに接続される絶縁管と、を有し、
前記外周管状部は、前記陰極部材に固定されていることを特徴とする請求項９または１０に記載のＸ線発生管。
【請求項１３】
前記導電部は、前記電子通過路の側から運動する散乱金属粒子が、前記絶縁支持部材に堆積するのを抑制するように、前記電子通過路と前記絶縁支持部材との間に位置することを特徴とする請求項１乃至１２のいずれか１項に記載のＸ線発生管。
【請求項１４】
前記ターゲットは、電子の照射によりＸ線を発生するターゲット層と、前記ターゲット層を支持するとともに前記Ｘ線を透過する支持基板とを有する透過型ターゲットであることを特徴とする請求項１乃至１３のいずれか１項に記載のＸ線発生管。
【請求項１５】
請求項１乃至１４のいずれか１項に記載のＸ線発生管と、前記ターゲットと前記電子放出部とのそれぞれに電気的に接続され、前記ターゲットと前記電子放出部との間に印加される管電圧を出力する駆動回路と、を備えることを特徴とするＸ線発生装置。
【請求項１６】
請求項１５に記載のＸ線発生装置と、
前記Ｘ線発生装置から放出され被検体を透過したＸ線を検出するＸ線検出装置と、
前記Ｘ線発生装置と前記Ｘ線検出装置とを連携して制御するシステム制御装置と、
を備えることを特徴とするＸ線撮影システム。
【請求項１７】
電子の照射によりＸ線を発生するターゲットと、
電子を放出する電子放出部と、前記電子放出部から放出された前記電子が通過する電子通過路を規定するグリッド電極と、前記電子放出部または他の電極に対して前記グリッド電極を電気的に絶縁しつつ前記グリッド電極を支持する絶縁支持部材と、を有する電子銃と、を有するＸ線発生管であって、
前記電子銃は、前記電子通過路からみて前記絶縁支持部材が直視されないように遮る導電部を有していることを特徴とするＸ線発生管。
【請求項１８】
前記グリッド電極は、電圧源に電気的に接続され、
前記導電部は、前記グリッド電極の部分であることを特徴とする請求項１７に記載のＸ線発生管。
【請求項１９】
前記グリッド電極は、前記電子通過路を規定する電子通過孔が設けられ、管径方向に延在する環状部と、前記環状部に連なり前記電子通過路に沿って延在する管状部と、を有し、
前記導電部は、前記管状部の少なくとも一部であることを特徴とする請求項１７または１８に記載のＸ線発生管。
【請求項２０】
前記グリッド電極は、前記環状部が前記電子放出部と対向するように配置され、前記管状部が管軸方向において前記電子放出部に重なるように配置された引き出しグリッド電極を含むことを特徴とする請求項１９に記載のＸ線発生管。
【請求項２１】
前記電子銃は、環状部と管状部とを有する他のグリッド電極を有し、
前記他のグリッド電極と前記グリッド電極は、互いの前記環状部が管軸方向に対向し、互いの前記管状部が管径方向に対向する部分を有することを特徴とする請求項１９または２０に記載のＸ線発生管。
【請求項２２】
前記他のグリッド電極と前記グリッド電極において、前記環状部が前記電子放出部に近い側に位置する前記グリッド電極の前記管状部は、前記環状部が前記電子放出部から遠い側に位置する前記グリッド電極の前記管状部より、管径方向において、外側に位置していることを特徴とする請求項２１に記載のＸ線発生管。
【請求項２３】
前記グリッド電極は、前記ターゲットに対向する環状部を有し、前記ターゲット上に形成する焦点の大きさを規定する集束グリッド電極を含み、
前記電子通過路は、前記電子放出部から放出された前記電子が前記集束グリッド電極を通過するまでの通過経路に対応することを特徴とする請求項１７乃至２２のいずれか１項に記載のＸ線発生管。
【請求項２４】
前記電子銃は、管径方向における外側から見て前記絶縁支持部材が直視されない様に、前記絶縁支持部材の管径方向における外側に外周管状部を有し、前記導電部は前記外周管状部の部分であることを特徴とする請求項１７乃至２３のいずれか１項に記載のＸ線発生管。
【請求項２５】
前記外周管状部は、前記グリッド電極の部分であることを特徴とする請求項２４に記載のＸ線発生管。
【請求項２６】
前記Ｘ線発生管は、
前記ターゲットに接続され、前記ターゲットとともに陽極に含まれる陽極部材と、
前記電子銃に接続され、前記電子放出源とともに陰極に含まれる陰極部材と、
管軸方向おける一端と他端とが、それぞれ、前記陽極部材と前記陰極部材とに接続される絶縁管と、を有することを特徴とする請求項１７乃至２５のいずれか１項に記載のＸ線発生管。
【請求項２７】
前記Ｘ線発生管は、
前記ターゲットに接続され、前記ターゲットとともに陽極に含まれる陽極部材と、
前記電子銃に接続され、前記電子放出源とともに陰極に含まれる陰極部材と、
管軸方向おける一端と他端とが、それぞれ、前記陽極部材と前記陰極部材とに接続される絶縁管と、を有し、
前記外周管状部は、前記陰極部材に固定されていることを特徴とする請求項２４または２５に記載のＸ線発生管。
【請求項２８】
前記導電部は、前記電子通過路の側から運動する散乱金属粒子が、前記絶縁支持部材に堆積するのを抑制するように、前記電子通過路と前記絶縁支持部材との間に位置することを特徴とする請求項１７乃至２７のいずれか１項に記載のＸ線発生管。
【請求項２９】
前記ターゲットは、電子の照射によりＸ線を発生するターゲット層と、前記ターゲット層を支持するとともに前記Ｘ線を透過する支持基板とを有する透過型ターゲットであることを特徴とする請求項１７乃至２８のいずれか１項に記載のＸ線発生管。
【請求項３０】
請求項１７乃至２９のいずれか１項に記載のＸ線発生管と、前記ターゲットと前記電子放出部とのそれぞれに電気的に接続され、前記ターゲットと前記電子放出部との間に印加される管電圧を出力する駆動回路と、を備えることを特徴とするＸ線発生装置。
【請求項３１】
請求項３０に記載のＸ線発生装置と、
前記Ｘ線発生装置から放出され被検体を透過したＸ線を検出するＸ線検出装置と、
前記Ｘ線発生装置と前記Ｘ線検出装置とを連携して制御するシステム制御装置と、
を備えることを特徴とするＸ線撮影システム。
【請求項３２】
電子を放出する電子放出部と、前記電子を電子ビームに形成するグリッド電極と、前記電子放出部または他の電極に対して前記グリッド電極を電気的に絶縁し前記グリッド電極を支持する絶縁支持部材と、前記電子放出部から放出され前記グリッド電極を通過する前記電子からみて前記絶縁支持部材が直視されないように遮る導電部と、を有していることを特徴とする電子銃。
【請求項３３】
電子を放出する電子放出部と、前記電子放出部から放出された前記電子が通過する電子通過路を規定するグリッド電極と、前記電子放出部または他の電極に対して前記グリッド電極を電気的に絶縁し前記グリッド電極を支持する絶縁支持部材と、前記電子通過路からみて前記絶縁支持部材が直視されないように遮る導電部と、を有していることを特徴とする電子銃。
【請求項３４】
前記グリッド電極が、前記導電部を有していることを特徴とする請求項３２または３３に記載の電子銃。
【手続補正２】
【補正対象書類名】明細書
【補正対象項目名】発明の名称
【補正方法】変更
【補正の内容】
【発明の名称】電子銃、Ｘ線発生管、Ｘ線発生装置およびＸ線撮影システム
【手続補正３】
【補正対象書類名】明細書
【補正対象項目名】０００７
【補正方法】変更
【補正の内容】
【０００７】
本発明の第１に係るＸ線発生管は、電子の照射によりＸ線を発生するターゲットと、電子を放出する電子放出部と、前記ターゲットに向けて照射される電子ビームを形成するグリッド電極と、前記電子放出部または他の電極に対して前記グリッド電極を電気的に絶縁し前記グリッド電極を支持する絶縁支持部材と、を有する電子銃と、を有するＸ線発生管であって、前記電子銃は、前記電子放出部から放出され前記グリッド電極を通過する前記電子からみて前記絶縁支持部材が直視されないように遮る導電部を有していることを特徴とする。
【手続補正４】
【補正対象書類名】明細書
【補正対象項目名】０００８
【補正方法】変更
【補正の内容】
【０００８】
本発明の第２に係るＸ線発生管は、電子の照射によりＸ線を発生するターゲットと、電子を放出する電子放出部と、前記電子放出部から放出された前記電子が通過する電子通過路を規定するグリッド電極と、前記電子放出部または他の電極に対して前記グリッド電極を電気的に絶縁しつつ前記グリッド電極を支持する絶縁支持部材と、を有する電子銃と、を有するＸ線発生管であって、前記電子銃は、前記電子通過路からみて前記絶縁支持部材が直視されないように遮る導電部を有していることを特徴とする。
また、本発明の第３に係る電子銃は、電子を放出する電子放出部と、前記電子を電子ビームに形成するグリッド電極と、前記電子放出部または他の電極に対して前記グリッド電極を電気的に絶縁し前記グリッド電極を支持する絶縁支持部材と、前記電子放出部から放出され前記グリッド電極を通過する前記電子からみて前記絶縁支持部材が直視されないように遮る導電部と、を有していることを特徴とする。
また、本発明の第４に係る電子銃は、電子を放出する電子放出部と、前記電子放出部から放出された前記電子が通過する電子通過路を規定するグリッド電極と、前記電子放出部または他の電極に対して前記グリッド電極を電気的に絶縁し前記グリッド電極を支持する絶縁支持部材と、前記電子通過路からみて前記絶縁支持部材が直視されないように遮る導電部と、を有していることを特徴とする。